(57)【要約】【課題】表示装置に接続された電子機器の操作を表示装置により行う。【解決手段】第１〜第３ソース側ＩＦ部１１１〜１１３と、動作モードが第１動作モードである場合に、第１〜第３ソース側ＩＦ部１１１〜１１３のいずれかに入力された画像データをプロジェクター２００に送信させ、動作モードが第２動作モードである場合に、第１動作モードである場合に接続されていた第１〜第３ソース側ＩＦ部１１１〜１１３以外の第１〜第３ソース側ＩＦ部１１１〜１１３のいずれかに入力された画像データをプロジェクター２００に送信させる制御部１４０とを備え、制御部１４０は、プロジェクター２００から受信した変更要求に従い、動作モードを第１動作モードと第２動作モードとのいずれか一方に切り替える、電子機器１００。【選択図】図２
2019062497.tif 000002
【特許請求の範囲】
【請求項１】
電子機器であって、
第１インターフェースと、
前記第１インターフェースとは異なる第２インターフェースと、
表示装置に接続される第３インターフェースと、
動作モードが第１動作モードである場合に、前記第１インターフェースに入力された画像データを前記第３インターフェースにより前記表示装置に送信させ、動作モードが第２動作モードである場合に、前記第２インターフェースに入力された画像データを前記第３インターフェースにより前記表示装置に送信させる第１制御部と、を備え、
前記第１制御部は、前記表示装置から受信した変更要求に従い、動作モードを前記第１動作モードと前記第２動作モードとのいずれか一方に切り替える、電子機器。
【請求項２】
前記第１制御部は、前記表示装置から送信される前記変更要求を前記第３インターフェースにより受信する、請求項１記載の電子機器。
【請求項３】
前記表示装置に接続され、前記第３インターフェースとは異なる第４インターフェースを備え、
前記第１制御部は、動作モードが前記第１動作モードである場合に、前記第１インターフェースに入力された画像データを前記第３インターフェースにより前記表示装置に送信させ、動作モードが前記第２動作モードである場合に、前記第２インターフェースに入力された画像データを前記第３インターフェースにより前記表示装置に送信させ、
前記第４インターフェースにより受信した前記変更要求に従って、動作モードを前記第１動作モードと前記第２動作モードとのいずれか一方に切り替える、請求項１記載の電子機器。
【請求項４】
表示装置と、前記表示装置に接続された電子機器とを備える表示システムであって、
前記電子機器は、
第１インターフェースと、
前記第１インターフェースとは異なる第２インターフェースと、
前記表示装置に接続される第３インターフェースと、
動作モードが第１動作モードである場合に、前記第１インターフェースに入力された画像データを前記第３インターフェースにより前記表示装置に送信させ、動作モードが第２動作モードである場合に、前記第２インターフェースに入力された画像データを前記第３インターフェースにより前記表示装置に送信させる第１制御部と、を備え、
前記第１制御部は、前記表示装置から受信した変更要求に従い、動作モードを前記第１動作モードと前記第２動作モードとのいずれか一方に切り替える、表示システム。
【請求項５】
前記第１制御部は、前記表示装置が接続されると、前記第１インターフェースの情報と、前記第２インターフェースの情報とを前記表示装置に送信し、
前記表示装置は、
前記表示装置が備える外部の装置との接続インターフェースの情報を登録したテーブルを記憶する記憶部と、
前記電子機器から受信した前記第１インターフェースの情報と、前記第２インターフェースの情報とを前記テーブルに登録する第２制御部と、
操作を受け付ける操作部と、を備え、
前記第２制御部は、前記操作部により受け付けた操作により、外部の装置との接続インターフェースとして、前記第１インターフェース又は前記第２インターフェースが選択されると、選択された前記第１インターフェース又は前記第２インターフェースへの変更要求を前記電子機器に送信する、請求項４記載の表示システム。
【請求項６】
前記第２制御部は、前記電子機器が接続された、前記表示装置の接続インターフェースの情報を前記テーブルから削除し、前記第１インターフェースの情報、及び前記第２インターフェースの情報を前記テーブルに登録する、請求項５記載の表示システム。
【請求項７】
前記第２制御部は、接続インターフェースの情報として、接続インターフェースを介して入力される画像データに設定された設定値を前記テーブルに登録し、
前記第１インターフェース又は前記第２インターフェースの情報を前記テーブルに登録するときに、前記第１インターフェース又は前記第２インターフェースと同一規格の接続インターフェースの情報が前記テーブルに登録されている場合、前記第１インターフェース又は前記第２インターフェースを介して入力される画像データの設定値として、同一規格の前記接続インターフェースに設定された前記設定値を登録する、請求項６記載の表示システム。
【請求項８】
前記表示装置は、表示部を備え、
前記第２制御部は、前記表示装置が備える接続インターフェースの情報と、前記第１インターフェース及び前記第２インターフェースの情報とが表示された表示画面を前記表示部に表示させ、
前記操作部により前記第１インターフェース又は前記第２インターフェースを選択する操作を受け付けると、選択された前記第１インターフェース又は前記第２インターフェースへの変更を要求する変更要求を前記電子機器に送信する、請求項５から７のいずれか１項に記載の表示システム。
【請求項９】
電子機器が接続された表示装置であって、
前記表示装置が備える接続インターフェースの情報と、前記電子機器が備える接続インターフェースの情報とが登録されたテーブルを記憶した記憶部と、
操作を受け付ける操作部と、
前記操作部により受け付けた操作により、前記電子機器の接続インターフェースが選択されると、選択された前記接続インターフェースへの変更要求を前記電子機器に送信する第２制御部と、
を備える、表示装置。
【請求項１０】
前記第２制御部は、接続インターフェースを介して入力される画像データに設定する設定値を接続インターフェースの情報として前記テーブルに登録し、
前記電子機器の接続インターフェースの情報を前記テーブルに登録するときに、前記表示装置の接続インターフェースに、前記電子機器の接続インターフェースと同一規格の接続インターフェースが含まれる場合、同一規格の前記表示装置の接続インターフェースに設定された前記設定値を、前記電子機器の接続インターフェースを介して入力される画像データの設定値として登録する、請求項９記載の表示装置。
【請求項１１】
表示部を備え、
前記第２制御部は、前記表示装置の接続インターフェースの情報と、前記電子機器の接続インターフェースの情報とが表示された表示画面を前記表示部に表示させ、
前記操作部により前記電子機器の接続インターフェースを選択する操作を受け付けると、選択された接続インターフェースへの変更を要求する変更要求を前記電子機器に送信する、請求項９又は１０記載の表示装置。
【請求項１２】
第１インターフェースと、前記第１インターフェースとは異なる第２インターフェースと、表示装置に接続される第３インターフェースと、を備える電子機器の制御方法であって、
前記表示装置から受信した変更要求に従い、動作モードを第１動作モードと第２動作モードとのいずれか一方に切り替えるステップと、
動作モードが前記第１動作モードである場合に、前記第１インターフェースに入力された画像データを前記第３インターフェースにより前記表示装置に送信させるステップと、
動作モードが第２動作モードである場合に、前記第２インターフェースに入力された画像データを前記第３インターフェースにより前記表示装置に送信させるステップと、
を有する、電子機器の制御方法。
【発明の詳細な説明】
【技術分野】
【０００１】
本発明は、電子機器、表示システム、表示装置、及び電子機器の制御方法に関する。
【背景技術】
【０００２】
従来、複数の入力インターフェースを備え、表示装置に接続される電子機器が知られている（例えば、特許文献１参照）。複数の入力インターフェースには、表示装置に画像データを供給するソース機器が接続され、電子機器は、操作に応じて表示装置に接続する入力インターフェースを切り替えて、表示装置に画像データを供給するソース機器を切り替える。
特許文献１は、プロジェクターに専用のケーブルで接続され、プロジェクターを操作する操作パネルを開示する。プロジェクターは、操作パネルに設けられた操作ボタンが操作されると、スクリーンに投射表示中の画像を、プリンターで印刷可能な印刷データに変換し、変換した印刷データを、操作パネルを介してプリンターに送信する。
【先行技術文献】
【特許文献】
【０００３】
【特許文献１】特開２０１３−２３５３１８号公報
【発明の概要】
【発明が解決しようとする課題】
【０００４】
しかしながら、表示装置が、電子機器を介して複数のソース機器に接続される構成の場合、表示装置に画像データを供給するソース機器の切り替えを、表示装置を操作して行うことができなかった。
本発明は、表示装置に接続された電子機器の操作を表示装置により行うことを目的とする。
【課題を解決するための手段】
【０００５】
上記課題を解決するため、本発明は、電子機器であって、第１インターフェースと、前記第１インターフェースとは異なる第２インターフェースと、表示装置に接続される第３インターフェースと、動作モードが第１動作モードである場合に、前記第１インターフェースに入力された画像データを前記第３インターフェースにより前記表示装置に送信させ、動作モードが第２動作モードである場合に、前記第２インターフェースに入力された画像データを前記第３インターフェースにより前記表示装置に送信させる第１制御部と、を備え、前記第１制御部は、前記表示装置から受信した変更要求に従い、動作モードを前記第１動作モードと前記第２動作モードとのいずれか一方に切り替える。
この構成によれば、表示装置から受信した変更要求に従って、電子機器の動作モードが第１動作モードと第２動作モードとのいずれか一方に切り替えられる。従って、電子機器が備えるインターフェースの切り替えを、表示装置により行うことができる。
【０００６】
また、本発明は、前記第１制御部は、前記表示装置から送信される前記変更要求を前記第３インターフェースにより受信する。
この構成によれば、画像データの送信に使用される第３インターフェースにより、動作モードの変更要求を受信することができる。
【０００７】
また、本発明は、前記表示装置に接続され、前記第３インターフェースとは異なる第４インターフェースを備え、前記第１制御部は、動作モードが前記第１動作モードである場合に、前記第１インターフェースに入力された画像データを前記第３インターフェースにより前記表示装置に送信させ、動作モードが前記第２動作モードである場合に、前記第２インターフェースに入力された画像データを前記第３インターフェースにより前記表示装置に送信させ、前記第４インターフェースにより受信した前記変更要求に従って、動作モードを前記第１動作モードと前記第２動作モードとのいずれか一方に切り替える。
この構成によれば、画像データが送信される第３インターフェースとは異なる第４インターフェースにより、動作モードの変更要求を受信することができる。
【０００８】
上記課題を解決するため、本発明は、表示装置と、前記表示装置に接続された電子機器とを備える表示システムであって、前記電子機器は、第１インターフェースと、前記第１インターフェースとは異なる第２インターフェースと、前記表示装置に接続される第３インターフェースと、動作モードが第１動作モードである場合に、前記第１インターフェースに入力された画像データを前記第３インターフェースにより前記表示装置に送信させ、動作モードが第２動作モードである場合に、前記第２インターフェースに入力された画像データを前記第３インターフェースにより前記表示装置に送信させる第１制御部と、を備え、前記第１制御部は、前記表示装置から受信した変更要求に従い、動作モードを前記第１動作モードと前記第２動作モードとのいずれか一方に切り替える。
この構成によれば、表示装置から受信した変更要求に従って、電子機器の動作モードが第１動作モードと第２動作モードとのいずれか一方に切り替えられる。従って、電子機器が備えるインターフェースの切り替えを、表示装置により行うことができる。
【０００９】
また、本発明は、前記第１制御部は、前記表示装置が接続されると、前記第１インターフェースの情報と、前記第２インターフェースの情報とを前記表示装置に送信し、前記表示装置は、前記表示装置が備える外部の装置との接続インターフェースの情報を登録したテーブルを記憶する記憶部と、前記電子機器から受信した前記第１インターフェースの情報と、前記第２インターフェースの情報とを前記テーブルに登録する第２制御部と、操作を受け付ける操作部と、を備え、前記第２制御部は、前記操作部により受け付けた操作により、外部の装置との接続インターフェースとして、前記第１インターフェース又は前記第２インターフェースが選択されると、選択された前記第１インターフェース又は前記第２インターフェースへの変更要求を前記電子機器に送信する。
この構成によれば、表示装置を操作して、外部の装置との接続インターフェースを、電子機器の第１インターフェース又は第２インターフェースに切り替えることができる。従って、電子機器が備えるインターフェースの切り替えを、表示装置により行うことができる。
【００１０】
また、本発明は、前記第２制御部は、前記電子機器が接続された、前記表示装置の接続インターフェースの情報を前記テーブルから削除し、前記第１インターフェースの情報、及び前記第２インターフェースの情報を前記テーブルに登録する。
本発明によれば、表示装置の接続インターフェースの情報として、第１インターフェースの情報、及び第２インターフェースの情報を登録することができる。
【００１１】
また、本発明は、前記第２制御部は、接続インターフェースの情報として、接続インターフェースを介して入力される画像データに設定された設定値を前記テーブルに登録し、前記第１インターフェース又は前記第２インターフェースの情報を前記テーブルに登録するときに、前記第１インターフェース又は前記第２インターフェースと同一規格の接続インターフェースの情報が前記テーブルに登録されている場合、前記第１インターフェース又は前記第２インターフェースを介して入力される画像データの設定値として、同一規格の前記接続インターフェースに設定された前記設定値を登録する。
この構成によれば、第１インターフェース又は第２インターフェースの情報をテーブルに登録するときに、画像データに設定する設定値を再設定する手間を軽減することができる。
【００１２】
また、本発明は、前記表示装置は、表示部を備え、前記第２制御部は、前記表示装置が備える接続インターフェースの情報と、前記第１インターフェース及び前記第２インターフェースの情報とが表示された表示画面を前記表示部に表示させ、前記操作部により前記第１インターフェース又は前記第２インターフェースを選択する操作を受け付けると、選択された前記第１インターフェース又は前記第２インターフェースへの変更を要求する変更要求を前記電子機器に送信する。
この構成によれば、表示装置が表示する表示画面を参照しながら、画像データが入力されるインターフェースを選択することができる。また、画像データが入力されるインターフェースとして第１インターフェース又は第２インターフェースが選択された場合には、電子機器が備えるインターフェースの切り替えを、表示装置により行うことができる。
【００１３】
上記課題を解決するため、本発明は、電子機器が接続された表示装置であって、前記表示装置が備える接続インターフェースの情報と、前記電子機器が備える接続インターフェースの情報とが登録されたテーブルを記憶した記憶部と、操作を受け付ける操作部と、前記操作部により受け付けた操作により、前記電子機器の接続インターフェースが選択されると、選択された前記接続インターフェースへの変更要求を前記電子機器に送信する第２制御部と、を備える。
この構成によれば、電子機器が備えるインターフェースの切り替えを、表示装置により行うことができる。
【００１４】
また、本発明は、前記第２制御部は、接続インターフェースを介して入力される画像データに設定する設定値を接続インターフェースの情報として前記テーブルに登録し、
前記電子機器の接続インターフェースの情報を前記テーブルに登録するときに、前記表示装置の接続インターフェースに、前記電子機器の接続インターフェースと同一規格の接続インターフェースが含まれる場合、同一規格の前記表示装置の接続インターフェースに設定された前記設定値を、前記電子機器の接続インターフェースを介して入力される画像データの設定値として登録する。
この構成によれば、第１インターフェース又は第２インターフェースの情報をテーブルに登録するときに、入力される画像データに設定される設定値を再設定する手間を軽減することができる。
【００１５】
また、本発明は、表示部を備え、前記第２制御部は、前記表示装置の接続インターフェースの情報と、前記電子機器の接続インターフェースの情報とが表示された表示画面を前記表示部に表示させ、前記操作部により前記電子機器の接続インターフェースを選択する操作を受け付けると、選択された接続インターフェースへの変更を要求する変更要求を前記電子機器に送信する。
この構成によれば、表示装置が表示する表示画面を参照しながら、画像データが入力されるインターフェースを選択することができる。また、画像データが入力されるインターフェースとして第１インターフェース又は第２インターフェースが選択された場合には、電子機器が備えるインターフェースの切り替えを、表示装置により行うことができる。
【００１６】
上記課題を解決するため、本発明は、第１インターフェースと、前記第１インターフェースとは異なる第２インターフェースと、表示装置に接続される第３インターフェースと、を備える電子機器の制御方法であって、前記表示装置から受信した変更要求に従い、動作モードを第１動作モードと第２動作モードとのいずれか一方に切り替えるステップと、動作モードが前記第１動作モードである場合に、前記第１インターフェースに入力された画像データを前記第３インターフェースにより前記表示装置に送信させるステップと、動作モードが第２動作モードである場合に、前記第２インターフェースに入力された画像データを前記第３インターフェースにより前記表示装置に送信させるステップと、を有する。
この構成によれば、表示装置から受信した変更要求に従って、電子機器の動作モードが第１動作モードと第２動作モードとのいずれか一方に切り替えられる。従って、電子機器が備えるインターフェースの切り替えを、表示装置により行うことができる。
【図面の簡単な説明】
【００１７】
【図１】表示システムのシステム概略を示す図。
【図２】切替装置の構成を示す構成図。
【図３】プロジェクターの構成を示す構成図。
【図４】切替装置の接続前のソース管理テーブルを示す図。
【図５】切替装置の接続後のソース管理テーブルを示す図。
【図６】切替装置の接続前のソース選択画面を示す図。
【図７】切替装置の接続後のソース選択画面を示す図。
【図８】プロジェクターの動作を示すフローチャート。
【図９】プロジェクターの動作を示すフローチャート。
【図１０】切替装置の動作を示すフローチャート。
【図１１】切替装置の他の構成を示す構成図。
【発明を実施するための形態】
【００１８】
以下、添付図面を参照して本発明の実施形態について説明する。
図１は表示システム１のシステム概略を示す図である。
表示システム１は、電子機器として動作する切替装置１００と、表示装置として動作するプロジェクター２００と、複数の画像供給装置３００Ａ〜３００Ｃとを備える。図１には、３台の画像供給装置３００を備える表示システム１を示すが、画像供給装置３００の台数は３台に限定されない。また、以下の説明において、画像供給装置３００Ａ〜３００Ｃを特に区別することなく総称する場合には、画像供給装置３００と表記する。
【００１９】
切替装置１００は、画像供給装置３００Ａ〜３００Ｃと、プロジェクター２００との接続を切り替える装置であり、詳細には、選択された画像供給装置３００から供給される画像データをプロジェクター２００に出力する装置である。切替装置１００と画像供給装置３００との接続は、有線接続してもよいし、無線接続してもよい。切替装置１００とプロジェクター２００との接続についても同様に、有線接続であってもよいし、無線接続であってもよい。本実施形態では、切替装置１００と画像供給装置３００、及び切替装置１００とプロジェクター２００とをそれぞれ有線により接続した場合について説明する。
【００２０】
切替装置１００と画像供給装置３００との接続、及び切替装置１００と画像供給装置３００との接続には、例えば、以下のインターフェースを用いることができる。
インターフェースとして、ＨＤＭＩ（High-Definition Multimedia Interface、登録商標）や、Ｄｉｓｐｌａｙｐｏｒｔ、ＭＨＬ（Mobile High-definition Link、登録商標）、ＨＤＢａｓｅＴ（登録商標）、Ｔｈｕｎｄｅｒｂｏｌｔ（登録商標）、ＵＳＢ Ｔｙｐｅ−Ｃ、３Ｇ−ＳＤＩ（Serial Digital Interface）等の映像信号及び音声信号をデジタルで伝送可能なインターフェースを用いることができる。また、インターフェースとして、イーサネット（登録商標）、ＩＥＥＥ１３９４、ＵＳＢ等のデータ通信用のインターフェースを用いることができる。また、切替装置１００や、プロジェクター２００、画像供給装置３００にＲＣＡ端子や、ＶＧＡ端子、Ｓ端子、Ｄ端子等のアナログの映像端子を設けて、アナログの映像信号を送受信する構成であってもよい。
【００２１】
プロジェクター２００は、表示面としてのスクリーンＳＣの上方又は斜め上方に設置され、スクリーンＳＣに向けて画像を投射する。スクリーンＳＣは室内の壁に固定され、又は床面に立設された平板又は幕である。また、表示面は、スクリーンＳＣに限定されず、例えば、室内の壁面自体をスクリーンとして使用することも可能である。この場合、スクリーンとして使用される壁面の上部にプロジェクター２００が設置される。
【００２２】
プロジェクター２００は、スクリーンＳＣに対する操作を検出可能に構成される。スクリーンＳＣに対する操作は、電子ペンや、ユーザーの指、指示棒等の指示体５０が用いられる。プロジェクター２００は、プロジェクター２００が備える撮像部により指示体５０を撮像して、指示体５０により行われるスクリーンＳＣに対する操作を検出する。
【００２３】
プロジェクター２００は、動作モードとして描画モードと、ＰＣモードとを備える。
描画モードの場合、プロジェクター２００は、スクリーンＳＣに対する操作の操作位置を検出し、検出した操作位置に対応するスクリーンＳＣの位置に画像を描画する。また、プロジェクター２００は、動作モードがＰＣモードの場合、検出したスクリーンＳＣの操作位置を示す情報を、プロジェクター２００に接続されたパーソナルコンピューター等の外部の装置に出力する。外部の装置は、プロジェクター２００から送信される情報をマウス操作の情報に変換して処理を行う。
【００２４】
画像供給装置３００は、プロジェクター２００に画像データを供給する装置である。画像供給装置３００は、例えば、Ｂｌｕ−ｒａｙ（登録商標）やＤＶＤ（Digital Versatile Disc）のプレーヤー（画像再生装置）、デジタルテレビチューナー等の放送受信装置、ビデオゲーム機やパーソナルコンピューター等の画像出力装置である。また、画像供給装置３００は、パーソナルコンピューター等と無線通信して画像データを受信する通信装置等であってもよい。
【００２５】
図２は、切替装置１００の構成を示す構成図である。
切替装置１００は、ソース側インターフェース部（以下、インターフェースをＩＦとも表記する）１１０と、プロジェクター側インターフェース部（以下、ＰＪ側ＩＦ部と略記する）１２０と、接続切替部１３０と、制御部１４０と、記憶部１５０とを備える。制御部１４０は、本発明の「第１制御部」に相当する。
【００２６】
ソース側ＩＦ部１１０は、ソース機器としての画像供給装置３００に接続する接続インターフェースである。ソース側ＩＦ部１１０は、第１ソース側ＩＦ部１１１、第２ソース側ＩＦ部１１２及び第３ソース側ＩＦ部１１３の３つのインターフェース部を備える。第１〜第３ＩＦ部１１１〜１１３は、本発明の「第１インターフェース」及び「第２インターフェース」のいずれかに相当する。第１ソース側ＩＦ部１１１、第２ソース側ＩＦ部１１２及び第３ソース側ＩＦ部１１３は、画像供給装置３００との接続ケーブルが接続される接続ポート１１４、１１５及び１１６を各々備える。また、第１ソース側ＩＦ部１１１、第２ソース側ＩＦ部１１２及び第３ソース側ＩＦ部１１３は、信号を処理するインターフェース回路（不図示）を各々備える。図２には、ソース側ＩＦ部１１０が第１ソース側ＩＦ部１１１、第２ソース側ＩＦ部１１２及び第３ソース側ＩＦ部１１３の３つのインターフェース部を備える場合を示すが、ソース側ＩＦ部１１０が備えるインターフェース部の数は任意である。
【００２７】
第１ソース側ＩＦ部１１１、第２ソース側ＩＦ部１１２及び第３ソース側ＩＦ部１１３は、同一規格のインターフェース部であってもよいし、異なる規格のインターフェース部であってもよい。本実施形態では、第１ソース側ＩＦ部１１１、第２ソース側ＩＦ部１１２及び第３ソース側ＩＦ部１１３が、ＨＤＭＩ規格に対応したインターフェース部である場合について説明する。
【００２８】
ＰＪ側ＩＦ部１２０は、プロジェクター２００に接続する接続インターフェースである。ＰＪ側ＩＦ部１２０は、本発明の「第３インターフェース」に相当する。ＰＪ側ＩＦ部１２０は、プロジェクター２００との接続ケーブルが接続される接続ポート１２５と、信号を処理するインターフェース回路（不図示）とを備える。本実施形態では、ＰＪ側ＩＦ部１２０が、ＨＤＭＩ規格に対応したインターフェース部である場合について説明する。
【００２９】
接続切替部１３０は、制御部１４０の制御に従って、第１ソース側ＩＦ部１１１、第２ソース側ＩＦ部１１２及び第３ソース側ＩＦ部１１３のいずれかを、ＰＪ側ＩＦ部１２０に接続する。
【００３０】
制御部１４０は、ハードウェアとしてＲＯＭ（Read only memory）、ＲＡＭ（Random access memory）、ＣＰＵ（Central Processing Unit）、その他の周辺回路（いずれも不図示）を備え、切替装置１００の各部を制御する。
図２には一つのＣＰＵ（プロセッサー）により制御部１４０の機能を実現する構成を示すが、複数のプロセッサー又は半導体チップにより制御部１４０の機能を実現するようにしてもよい。また、制御部１４０は、複数のプロセッサー又は半導体チップにより処理を実行する場合に、複数のプロセッサー又は半導体チップを協働させるか、あるいは一方を選択的に用いて各種の制御を行ってもよい。
【００３１】
記憶部１５０は、内部ストレージであって、例えば、フラッシュメモリーなどの不揮発性メモリーにより構成される。記憶部１５０は、制御部１４０が実行する制御プログラムや、ポート情報を記憶する。ポート情報には、ソース側ＩＦ部１１０が有する接続ポートのポート数の情報や、各接続ポートへの信号入力状態を示す情報、各接続ポートのポート番号を示す情報、各接続ポートのインターフェース規格を示す情報等が含まれる。
【００３２】
図３は、プロジェクター２００の構成を示す構成図である。
プロジェクター２００は、機能部として、入力ＩＦ部２１０、投射部２２０、リモコン受光部２３０、指示体検出部２３３、無線通信部２３５、画像処理部２５０、記憶部２６０及び制御部２７０を備え、これらの機能部がバス２８０を介して接続される。投射部２２０は、本発明の「表示部」に相当する。また、制御部２７０は、本発明の「第２制御部」に相当する。
【００３３】
入力ＩＦ部２１０は、切替装置１００や画像供給装置３００に接続される接続インターフェースである。入力ＩＦ部２１０は、第１入力ＩＦ部２１１、第２入力ＩＦ部２１２、第３入力ＩＦ部２１３及び第４入力ＩＦ部２１４の４つのインターフェース部を備える。各入力ＩＦ部２１１、２１２、２１３及び２１４は、接続ポート及び信号を処理するインターフェース回路（いずれも不図示）を備える。図３には、入力ＩＦ部２１０が第１入力ＩＦ部２１１、第２入力ＩＦ部２１２、第３入力ＩＦ部２１３及び第４入力ＩＦ部２１４の４つのインターフェース部を備える場合を示すが、入力ＩＦ部２１０が備えるインターフェース部の数は任意である。
【００３４】
本実施形態では、第１入力ＩＦ２１１〜第４入力ＩＦ部２１４が以下のインターフェースである場合を例に挙げて説明する。
第１入力ＩＦ部２１１は、接続ポートとしてＤ−ｓｕｂ端子を備え、ＶＧＡ信号を処理するインターフェース回路を備える。
第２入力ＩＦ部２１２及び第３入力ＩＦ部２１３は、接続ポートとしてＨＤＭＩポートを備え、ＨＤＭＩ信号を処理するインターフェース回路を備える。
第４入力ＩＦ部２１４は、接続ポートとしてイーサネットポートを備え、イーサネット信号（差動信号）を処理するインターフェース回路を備える。
これら４つの入力ＩＦ２１１〜２１４のインターフェースはあくまでも一例であって、変更実施が可能である。
【００３５】
投射部２２０は、光学的な画像の形成を行い、形成した画像光をスクリーンＳＣに投射する。投射部２２０は、光源、光源から射出された光を変調して画像光を生成する光変調部、光変調部により生成された画像光をスクリーンＳＣに投射する投射光学系等（いずれも不図示）を備える。
【００３６】
リモコン受光部２３０は、リモコン５から送信される赤外線信号を受信する。リモコン５は、各種操作ボタンを備え、受け付けた操作に対応した赤外線信号を送信する。リモコン受光部２３０は、受光した赤外線信号をデコードし、リモコン５における操作内容を示す操作信号を生成して制御部２７０に出力する。
【００３７】
指示体検出部２３３は、スクリーンＳＣに対する指示体５０の操作を検出する。
指示体検出部２３３は、所定の撮像周期毎に撮像画像データを生成する撮像部を備える。撮像部は、可視光、又は赤外光等の非可視光によりスクリーンＳＣの全体、及びスクリーンＳＣを含む周囲を撮像する。
指示体検出部２３３による指示体５０の検出には、種々の手法を採用可能である。例えば、指示体５０が、不図示の発光部を備え、指示体５０の先端がスクリーンＳＣに接触した際に、発光部が発光する構成であるとする。この場合、指示体検出部２３３は、発光部の発光位置を、撮像部の撮影画像データを解析して検出し、検出した撮影画像データ上の発光位置を示す座標情報を操作位置として制御部２７０に出力する。指示体５０の発光部が射出する光は、可視光であってもよいし、赤外光等の非可視光であってもよい。指示体５０の発光部が非可視光を射出する場合、撮像部の前に赤外光だけを通す可視光カットフィルターを設ける構成であってもよい。
【００３８】
無線通信部２３５は、図示しないアンテナやＲＦ（Radio Frequency）回路等を備え、制御部２７０の制御に従い、外部の装置との間で無線通信を実行する。無線通信部２３５の無線通信方式は、例えば無線ＬＡＮ（Local Area Network）、Bluetooth（登録商標）、ＵＷＢ（Ultra Wide Band）、赤外線通信等の近距離無線通信方式、又は携帯電話回線を利用した無線通信方式を採用できる。
【００３９】
画像処理部２５０には、フレームメモリー２５５が接続される。画像処理部２５０は、入力ＩＦ部２１０から入力される画像データをフレームメモリー２５５に展開して画像処理を行う。フレームメモリー２５５には、例えば、ＳＤＲＡＭ（Synchronous Dynamic Random Access Memory）等のクロックに同期してデータの読み出し及び書き込みを行うメモリーが用いられる。
【００４０】
画像処理部２５０が行う処理には、例えば、解像度変換（スケーリング）処理又はリサイズ処理、歪み補正等の形状補正処理、デジタルズーム処理、色調補正処理、輝度補正処理等が含まれる。画像処理部２５０は、制御部２７０により指定された処理を実行し、また、必要に応じて、制御部２７０から入力されるパラメーターを使用して処理を行う。また、画像処理部２５０は、上記のうち複数の処理を組み合わせて実行することも勿論可能である。
【００４１】
また、画像処理部２５０は、画像データが展開されたフレームメモリー２５５に、制御部２７０により生成された描画データを展開する。すなわち、画像処理部２５０は、画像データに描画データを重畳させる。これにより、画像データと描画データとが合成された合成データが生成される。画像処理部２５０は、画像処理の完了した画像データ又は合成データをフレームメモリー２５５から読み出して投射部２２０に出力する。投射部２２０は、入力された画像データ又は合成データに基づいて、光変調部に画像光を生成させ、生成された画像光を投射光学系によりスクリーンＳＣに投射させる。
【００４２】
記憶部２６０は、例えば、ハードディスク装置等の補助記憶装置である。記憶部２６０は、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。
記憶部２６０は、制御部２７０が実行する制御プログラムや、入力ＩＦ部２１０が受信した画像データを記憶する。また、記憶部２６０は、制御部２７０により生成されるソース管理テーブル２６５を記憶する。ソース管理テーブル２６５の詳細については、図４を参照しながら後述する。
【００４３】
制御部２７０は、ハードウェアとしてＣＰＵ、ＲＯＭ、ＲＡＭ及びその他の周辺回路（いずれも不図示）を備える。ＣＰＵは、演算処理を実行するプロセッサーであり、ＲＯＭや記憶部２６０が記憶する制御プログラムに従って演算処理を実行する。ＲＯＭは、不揮発性のメモリーであり、例えば、制御プログラムや演算データを記憶する。ＲＡＭは、プロセッサーが実行する制御プログラムや演算データを一時記憶するワークエリアとして使用される。
【００４４】
本実施形態では、制御部２７０が一つのプロセッサー（ＣＰＵ）を備え、このプロセッサーが制御プログラムに従った処理を実行することで制御部２７０の機能を実現するが、複数のプロセッサー又は半導体チップにより制御部２７０の機能を実現してもよい。例えば、制御部２７０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部２７０は、ＣＰＵ及び副処理装置の双方を協働させるか、あるいは双方のうちの一方を選択的に用いて各種の制御を行ってもよい。
【００４５】
制御部２７０は、機能ブロックとして、投射制御部２７１、表示制御部２７２及び切替制御部２７３を備える。これらの機能ブロックは、ＣＰＵが制御プログラムに従って演算処理を実行することで実現される機能をブロックとして便宜的に示したものであり、特定のアプリケーションやハードウェアを示すものではない。
【００４６】
投射制御部２７１は、画像処理部２５０及び投射部２２０を制御して、スクリーンＳＣに画像を投射する。
例えば、投射制御部２７１は、入力ＩＦ部２１０が受信した画像データを画像処理部２５０に処理させる。この際、投射制御部２７１は、画像処理部２５０に実行させる処理に必要なパラメーターを記憶部２６０から読み出して画像処理部２５０に渡してもよい。この他に、投射制御部２７１は、投射部２２０の備える光源の点灯制御や輝度調整、投射光学系を制御してズームやフォーカスの調整等を行う。
【００４７】
表示制御部２７２には、指示体検出部２３３から操作位置を示す座標情報が入力される。表示制御部２７２から入力される操作位置を示す座標情報は、撮像部の撮像画像データ上での位置を示す情報である。表示制御部２７２は、事前に行われるキャリブレーションの結果を示すキャリブレーションデータに基づいて、撮像画像データ上の座標情報を、画像データが展開されたフレームメモリー２５５上での位置を示す座標情報に変換する。キャリブレーションデータは、撮像画像データ上の座標と、フレームメモリー２５５上の座標とを対応付けるデータである。
【００４８】
表示制御部２７２は、動作モードが描画モードである場合、指示体検出部２３３から入力される座標情報を、フレームメモリー２５５上の座標情報に変換する。表示制御部２７２は、画像処理部２５０を制御して、変換した座標情報が示すフレームメモリー２５５上の座標に描画データを重畳させる。
また、表示制御部２７２は、動作モードがＰＣモードである場合、指示体検出部２３３から入力された座標情報、又はフレームメモリー２５５上の座標に変換された座標情報を画像供給装置３００等の外部の装置に送信する。
例えば、切替装置１００、プロジェクター２００及び画像供給装置３００がＨＤＭＩケーブルで接続されている場合、入力ＩＦ部２１０により座標情報を画像供給装置３００に送信してもよい。また、プロジェクター２００が無線通信部を備えている場合、無線通信部により座標情報を画像供給装置３００や、パーソナルコンピューターに送信してもよい。
【００４９】
切替制御部２７３は、ソース管理テーブル２６５を生成し、更新する。ソース管理テーブル２６５は、入力ソースを管理するテーブルであり、本発明の「接続インターフェースの情報を登録したテーブル」に相当する。本実施形態において、入力ソースは、ソースとしての画像データをプロジェクター２００に供給する画像供給装置３００、又は、画像供給装置３００に接続された切替装置１００との接続インターフェースを意味する。生成されたソース管理テーブル２６５は、記憶部２６０に記憶される。また、切替制御部２７３は、第１入力ＩＦ部２１１〜第４入力ＩＦ部２１４のいずれかに切替装置１００が接続された場合、ソース管理テーブル２６５の登録情報を更新する。
【００５０】
図４は、切替装置１００の接続前のソース管理テーブル２６５の構成を示す図である。
ソース管理テーブル２６５には、入力ＩＦ部２１０が備える第１〜第４入力ＩＦ部２１１〜２１４の情報が登録される。具体的には、第１〜第４入力ＩＦ部２１１〜２１４を識別する識別情報と、接続ポートのポート番号と、第１〜第４入力ＩＦ部２１１〜２１４が備える接続ポートのインターフェース規格と、画像調整値とが１レコードとしてソース管理テーブル２６５に登録される。ソース管理テーブル２６５に登録される識別情報と、接続ポートのポート番号と、接続ポートのインターフェース規格と、画像調整値とを総称して入力ソース情報という。
【００５１】
本実施形態では、第１入力ＩＦ部２１１が有する接続ポートのインターフェース規格として「Ｄ−ｓｕｂ」が登録され、第２入力ＩＦ部２１２及び第３入力ＩＦ部２１３が有する接続ポートのインターフェース規格として「ＨＤＭＩ」が登録される。また、第４入力ＩＦ部２１４が有する接続ポートインターフェース規格として「イーサネット」が登録される。
【００５２】
また、画像調整値には、第１入力ＩＦ部２１１〜第４入力ＩＦ部２１４により入力される画像データに対する画像の調整項目と、各調整項目に設定された調整値とが含まれる。画像の調整項目には、例えば、明るさや、リフレッシュレート、カラー、色合い、色の濃さ、コントラスト等が含まれる。また、画像の調整項目は、接続ポートのインターフェース規格ごとに異なる設定とすることも可能である。すなわち、インターフェース規格が異なる接続ポートに対して、それぞれ異なる調整項目を設定することも可能である。画像調整値は、本発明の「設定値」に相当する。
【００５３】
切替制御部２７３は、第１入力ＩＦ部２１１〜第４入力ＩＦ部２１４のいずれかに切替装置１００が接続されると、ソース管理テーブル２６５の登録情報を更新する。具体的には、切替制御部２７３は、切替装置１００の接続が検出されると、入力ＩＦ部２１０の入力ソース情報に加え、切替装置１００のソース側ＩＦ部１１０のポート情報を、ソース管理テーブル２６５に入力ソース情報として登録する。
【００５４】
図５は、切替装置１００の接続後のソース管理テーブル２６５を示す図である。
まず、切替制御部２７３は、入力ＩＦ部２１０への機器の接続を検出する。例えば、切替制御部２７３は、第１入力ＩＦ部２１１〜第４入力ＩＦ部２１４のいずれかに機器が接続され、接続された機器への５Ｖ電源の供給が開始されることで、機器が入力ＩＦ部２１０に接続されたと判定する。また、第１入力ＩＦ部２１１〜第４入力ＩＦ部２１４がホットプラグ検出の機能を備えたインターフェースである場合、ホットプラグ検出によって機器の接続を検出することができる。また、切替制御部２７３は、入力ＩＦ部２１０に接続した機器から受信する制御情報に基づいて、機器の接続を検出してもよい。例えば、第２入力ＩＦ部２１２がＨＤＭＩインターフェースである場合、切替制御部２７３は、ＣＥＣコマンドを受信した場合に、機器が第２入力ＩＦ部２１２に接続されたと判定することができる。
【００５５】
切替制御部２７３は、入力ＩＦ部２１０に機器が接続されると、接続を検出した機器に、機器に関する情報の取得要求を送信する。切替装置１００とプロジェクター２００とが、例えば、ＨＤＭＩインターフェースにより接続されている場合、切替制御部２７３は、ＣＥＣ線を介して機器に関する情報の取得要求を送信する。切替装置１００は、プロジェクター２００から取得要求を受信すると、自身が切替装置であることを示す情報（以下、種別情報という）をＣＥＣ線を介してプロジェクター２００に送信する。
また、切替装置１００は、一定時間ごとに、ポート情報をプロジェクター２００に送信する。上述したように、ポート情報には、ソース側ＩＦ部１１０が有する接続ポートのポート数の情報や、各接続ポートへの信号入力状態を示す情報、各接続ポートのポート番号を示す情報や、各接続ポートのインターフェース規格を示す情報等が含まれる。ポート情報は、本発明の「第１インターフェースの情報」及び「第２インターフェースの情報」に相当する。
【００５６】
切替制御部２７３は、受信した種別情報に基づいて、入力ＩＦ部２１０に接続された機器が切替装置１００であるか否かを判定する。切替制御部２７３は、接続された機器が切替装置１００であると判定すると、ソース管理テーブル２６５に登録された入力ソース情報を書き替えて、ソース管理テーブル２６５を更新する。また、切替制御部２７３は、入力ＩＦ部２１０に接続された機器が切替装置１００ではないと判定した場合、ソース管理テーブル２６５の更新は行わない。すなわち、切替制御部２７３は、入力ＩＦ部２１０にパーソナルコンピューター等の画像供給装置３００が接続された場合には、ソース管理テーブル２６５の更新は行わない。
【００５７】
ここでは、入力ＩＦ部２１０の第３入力ＩＦ部２１３に、切替装置１００が接続された場合の切替制御部２７３の動作を例に挙げて説明する。
切替制御部２７３は、第３入力ＩＦ部２１３に切替装置１００が接続されると、ソース管理テーブル２６５に登録された第３入力ＩＦ部２１３の入力ソース情報をまず削除する。第３入力ＩＦ部２１３には切替装置１００が接続されているため、切替制御部２７３は、ソース管理テーブル２６５から第３入力ＩＦ部２１３の入力ソース情報を削除する。
【００５８】
次に、切替制御部２７３は、切替装置１００から受信したソース側ＩＦ部１１０のポート情報を、入力ソース情報としてソース管理テーブル２６５に登録する。より詳細には、切替制御部２７３は、削除した第３入力ＩＦ部２１３のレコードに代えて、ソース側ＩＦ部１１０のポート情報を登録する。図５に網掛けで示す領域２６７に、第１ソース側ＩＦ部１１１、第２ソース側ＩＦ部１１２及び第３ソース側ＩＦ部１１３のポート情報が入力ソース情報として登録される。
【００５９】
また、切替制御部２７３は、ソース側ＩＦ部１１０のポート情報をソース管理テーブル２６５に登録する場合に、インターフェース規格が同一の入力ソース情報が登録されているか否かを判定する。
切替制御部２７３は、まず、受信したポート情報に基づき、第１ソース側ＩＦ部１１１、第２ソース側ＩＦ部１１２及び第３ソース側ＩＦ部１１３の各々について、接続ポートのインターフェース規格を判定する。本実施形態では、第１ソース側ＩＦ部１１１、第２ソース側ＩＦ部１１２及び第３ソース側ＩＦ部１１３のインターフェース規格は、「ＨＤＭＩ」である。
次に、切替制御部２７３は、第１〜第３ソース側ＩＦ部１１１〜１１３のインターフェース規格と同一のインターフェース規格の入力ソース情報がソース管理テーブル２６５に登録されているか否かを判定する。本実施形態では、第２入力ＩＦ部２１２及び第３入力ＩＦ部２１３のインターフェース規格が「ＨＤＭＩ」であって、第１〜第３ソース側ＩＦ部１１１〜１１３のインターフェース規格と同一である。
【００６０】
切替制御部２７３は、インターフェース規格が同一の入力ソース情報がソース管理テーブル２６５に登録されている場合、登録された入力ソース情報の画像調整値が、ユーザーにより設定された調整値であるのかを判定する。
切替制御部２７３は、登録された入力ソース情報の画像調整値が、ユーザーにより設定された調整値である場合、第１〜第３ソース側ＩＦ部１１１〜１１３の画像調整値として、登録された入力ソース情報の画像調整値を登録する。従って、第１〜第３ソース側ＩＦ部１１１〜１１３の入力ソース情報を登録する際に、画像調整値を再設定する手間を省くことができる。また、切替制御部２７３は、登録された入力ソース情報の画像調整値が、デフォルトの調整値である場合、第１〜第３ソース側ＩＦ部１１１〜１１３の画像調整値として、デフォルトの調整値を登録する。
【００６１】
プロジェクター２００は、ソース管理テーブル２６５に、切替装置１００が備えるソース側ＩＦ部１１０のポート情報が登録されることで、切替装置１００のソース側ＩＦ部１１０を、入力ＩＦ部２１０の一部として扱う。すなわち、プロジェクター２００は、切替装置１００のソース側ＩＦ部１１０を、プロジェクター２００が備える外部の機器との接続インターフェースとして扱う。
【００６２】
例えば、表示制御部２６２は、リモコン５のソース切替ボタンが操作された場合や、ソース切替アイコンが指示体５０により選択された場合、ソース選択画面２９０をスクリーンＳＣに表示させる。ソース切替アイコンとは、スクリーンＳＣに表示されたソースの切り替えを示すアイコン等の画像である。リモコン５、リモコン受光部２３０、指示体５０、指示体検出部２３３は、本発明の「操作部」に相当する。
ソース選択画面２９０は、ソース管理テーブル２６５に登録されたソース情報を表示した画面であり、本発明の「表示画面」に相当する。プロジェクター２００に切替装置１００が接続された場合、ソース選択画面２９０には、切替装置１００のソース側ＩＦ部１１０の入力ソース情報も選択可能な入力ソースとして選択される。
【００６３】
図６は、切替装置１００の接続前のソース選択画面２９０を示す図である。また、図７は、切替装置１００の接続後のソース選択画面２９０を示す図である。
表示制御部２６２は、切替装置１００が接続される前に、リモコン５のソース切替ボタンが選択されたり、ソース切替アイコンが指示体５０により選択されたりした場合、図６に示すソース選択画面２９０を投射部２２０によりスクリーンＳＣに表示させる。図６に示すソース選択画面２９０には、入力ＩＦ部２１０が備える第１〜第４入力ＩＦ部２１１〜２１４の入力ソース情報が表示される。
【００６４】
また、表示制御部２６２は、切替装置１００の入力ＩＦ部２１０への接続後に、リモコン５のソース切替ボタンが選択されたり、ソース切替アイコンが指示体５０により選択されたりした場合、図７に示すソース選択画面２９０を投射部２２０によりスクリーンＳＣに表示させる。ソース選択画面２９０には、入力ＩＦ部２１０が備える第１、第２、第４入力ＩＦ部２１１、２１２、２１４の入力ソース情報の他に、ソース側ＩＦ部１１０の入力ソース情報が表示される。図７に示す網かけ領域２９５に、ソース側ＩＦ部１１０の入力ソース情報が表示される。なお、第３入力ＩＦ部２１３の入力ソース情報については表示されない。第３入力ＩＦ部２１３には、すでに切替装置１００が接続されているからである。
【００６５】
例えば、ソース切替ボタンやソース切替アイコンが選択される前、ソース側ＩＦ部１１０の第１〜第３ソース側ＩＦ部１１１〜１１３のいずれかが入力ソースとして選択された状態であると仮定する。プロジェクター２００には、選択された第１〜第３ソース側ＩＦ部１１１〜１１３のいずれかに接続された画像供給装置３００から画像データが供給されている。
切替制御部２７３は、ソース選択画面２９０に表示された第１〜第３ソース側ＩＦ部１１１〜１１３のいずれかが入力ソースとして選択されると、切替装置１００に切替要求（変更要求）を送信する。この切替要求には、ポート番号等の選択された入力ソースを識別する識別情報が含まれる。
【００６６】
切替装置１００は、動作モードとして第１動作モードと、第２動作モードとを備える。第１動作モードは、第１〜第３ソース側ＩＦ部１１１〜１１３のいずれかが選択され、選択された第１〜第３ソース側ＩＦ部１１１〜１１３のいずれかをＰＪ側ＩＦ部１２０に接続した状態である。また、第１動作モードでは、選択された第１〜第３ソース側ＩＦ部１１１〜１１３のいずれかに画像供給装置３００が接続され、切替装置１００は、接続された画像供給装置３００から出力される画像データをプロジェクター２００に出力する状態である。
【００６７】
切替装置１００は、プロジェクター２００から識別情報を含む切替要求を受信すると、動作モードを第１動作モードから第２動作モードに変更する。
制御部１４０は、接続切替部１３０を制御して、切替要求に含まれる識別情報に基づいて、ソース側ＩＦ部１１０と、ＰＪ側ＩＦ部１２０との接続切り替えを実行する。
制御部１４０は、ＰＪ側ＩＦ部１２０に接続した第１〜第３ソース側ＩＦ部１１１〜１１３のいずれかと、ＰＪ側ＩＦ部１２０との接続を解除し、選択された第１〜第３ソース側ＩＦ部１１１〜１１３のいずれかをＰＪ側ＩＦ部１２０に接続する。この後、切替装置１００は、選択された１〜第３ソース側ＩＦ部１１１〜１１３のいずれかに接続された画像供給装置３００から供給される画像データをプロジェクター２００に出力する。
【００６８】
図８は、プロジェクター２００の動作を示すフローチャートである。特に、入力ＩＦ部２１０に切替装置１００が接続された場合の動作を示すフローチャートである。
制御部２７０は、まず、入力ＩＦ部２１０に機器が接続されたか否かを判定する（ステップＳ１）。制御部２７０は、機器の接続が検出されない場合（ステップＳ１／ＮＯ）、機器の接続が検出されるまで待機し、実行可能な他の処理を行う。
【００６９】
また、制御部２７０は、機器の接続が検出された場合（ステップＳ１／ＹＥＳ）、接続が検出された機器と通信を行い、検出された機器に、機器に関する情報の取得要求を送信する（ステップＳ２）。制御部２７０は、取得要求を送信した機器から、種別情報を受信すると、受信した種別情報に基づいて、接続された機器が切替装置１００であるか否かを判定する（ステップＳ３）。制御部２７０は、接続された機器が切替装置１００ではないと判定した場合（ステップＳ３／ＮＯ）、この処理フローを終了させる。
【００７０】
また、制御部２７０は、接続された機器が切替装置１００であると判定した場合（ステップＳ３／ＹＥＳ）、切替装置１００から受信したソース側ＩＦ部１１０のポート情報をソース管理テーブル２６５に登録する処理を開始する（ステップＳ４）。
【００７１】
制御部２７０は、まず、処理対象のポート情報を選択する（ステップＳ５）。次に、制御部２７０は、処理対象のポート情報のインターフェース規格を参照し、接続ポートのインターフェース規格が同一の入力ソース情報がソース管理テーブル２６５に登録されているか否かを判定する（ステップＳ６）。
【００７２】
制御部２７０は、インターフェース規格が同一の入力ソース情報が登録されていない場合（ステップＳ６／ＮＯ）、処理対象のポート情報を登録するソース管理テーブル２６５の記録欄に登録する。この際、制御部２７０は、画像調整値をソース管理テーブル２６５に登録する場合に、接続ポートのインターフェース規格に用意されたデフォルトの画像調整値を登録する（ステップＳ９）。
【００７３】
また、制御部２７０は、インターフェース規格が同一の入力ソース情報が登録されている場合（ステップＳ６／ＹＥＳ）、登録された入力ソース情報の画像調整値がデフォルト値であるか否かを判定する（ステップＳ７）。制御部２７０は、登録された入力ソース情報の画像調整値がデフォルト値である場合（ステップＳ７／ＹＥＳ）、処理対象のポート情報を登録するソース管理テーブル２６５の記録欄に登録する。この際、制御部２７０は、画像調整値をソース管理テーブル２６５に登録する場合に、接続ポートのインターフェース規格に用意されたデフォルトの画像調整値を登録する（ステップＳ９）。
【００７４】
また、制御部２７０は、登録された入力ソース情報の画像調整値がデフォルト値ではない場合（ステップＳ７／ＮＯ）、処理対象のポート情報を登録するソース管理テーブル２６５の記録欄に登録する。この際、制御部２７０は、画像調整値をソース管理テーブル２６５に登録する場合に、登録された入力ソース情報の画像調整値を登録する（ステップＳ８）。
【００７５】
次に、制御部２７０は、切替装置１００から受信したすべてのポート情報をソース管理テーブル２６５に登録したか否かを判定する（ステップＳ１０）。制御部２７０は、すべてのポート情報がソース管理テーブル２６５に登録されていない場合（ステップＳ１０／ＮＯ）、ステップＳ５の処理に移行して処理対象のポート情報を選択する。また、制御部２７０は、すべてのポート情報をソース管理テーブル２６５に登録した場合（ステップＳ１０／ＹＥＳ）、この処理フローを終了させる。
【００７６】
図９は、プロジェクター２００の動作を示すフローチャートである。特に、図９は、リモコン５のソース切替ボタンや、指示体５０によりソース切替アイコンが選択された場合のプロジェクター２００の動作を示すフローチャートである。
制御部２７０は、ソース切り替えの指示を受け付けたか否かを判定する（ステップＳ１１）。制御部２７０は、ソース切り替えの指示を受け付けていない場合（ステップＳ１１／ＮＯ）、ソース切り替えの指示を受け付けるまで待機する。
【００７７】
また、制御部２７０は、ソース切り替えの指示を受け付けた場合（ステップＳ１１／ＹＥＳ）、記憶部２６０に記憶されたソース管理テーブル２６５を参照して、ソース選択画面２９０を表示させるための表示データを生成する（ステップＳ１２）。制御部２７０は、生成した表示データを投射部２２０により表示させ、スクリーンＳＣにソース選択画面２９０を表示させる（ステップＳ１３）。
【００７８】
次に、制御部２７０は、接続ポートを選択する選択操作を受け付けたか否かを判定する（ステップＳ１４）。制御部２７０は、選択操作を受け付けていない場合（ステップＳ１４／ＮＯ）、選択操作を受け付けるまで待機する。また、制御部２７０は、選択操作を受け付けた場合（ステップＳ１４／ＹＥＳ）、入力ソースとして、ソース側ＩＦ部１１０の接続ポートが選択されたか否かを判定する（ステップＳ１５）。制御部２７０は、ソース側ＩＦ部１１０の接続ポートが選択されていない場合（ステップＳ１５／ＮＯ）、入力ソースとして、入力ＩＦ部２１０の接続ポートが選択されたと判定する。この場合、制御部２７０は、選択された第１入力ＩＦ部２１１、第２入力ＩＦ部２１２及び第４入力ＩＦ部２１４のいずれかに接続された画像供給装置３００との通信を開始し（ステップＳ１６）、画像供給装置３００から供給される画像データを入力する（ステップＳ１９）。
【００７９】
また、制御部２７０は、入力ソースとして、ソース側ＩＦ部１１０の接続ポートが選択された場合（ステップＳ１５／ＹＥＳ）、選択されたソース側ＩＦ部１１０の接続ポートの識別情報を含む切替要求を切替装置１００に送信する（ステップＳ１７）。切替装置１００は、受信した切替要求に含まれる識別情報が示す接続ポートをＰＪ側ＩＦ部１２０に接続する。これにより、プロジェクター２００と、識別情報が示す接続ポートに接続された画像供給装置３００との通信が可能な状態となる。プロジェクター２００は、選択された接続ポートに接続された画像供給装置３００との通信を開始し（ステップＳ１８）、画像供給装置３００から供給される画像データを入力する（ステップＳ１９）。
【００８０】
図１０は、切替装置１００の動作を示すフローチャートである。特に、図１０は、プロジェクター２００の入力ＩＦ部２１０に接続された場合の制御部１４０の動作を示すフローチャートである。
制御部１４０は、ＰＪ側ＩＦ部１２０に機器が接続されたか否かを判定する（ステップＳ２１）。ＰＪ側ＩＦ部１２０に接続される機器はプロジェクター２００であるため、以下では機器をプロジェクター２００という。制御部１４０は、ＰＪ側ＩＦ部１２０にプロジェクター２００が接続されていない場合、接続が検出されるまで待機する。また、制御部１４０は、ＰＪ側ＩＦ部１２０にプロジェクター２００が接続されると（ステップＳ２１／ＹＥＳ）、接続されたプロジェクター２００から機器に関する情報の取得要求を受信したか否かを判定する（ステップＳ２２）。制御部１４０は、取得要求を受信していない場合（ステップＳ２２／ＮＯ）、ステップＳ２４の処理に移行する。また、制御部１４０は、取得要求を受信した場合（ステップＳ２２／ＹＥＳ）、切替装置１００の種別を示す種別情報と、ポート情報とをプロジェクター２００に送信する（ステップＳ２３）。
【００８１】
次に、制御部１４０は、プロジェクター２００から接続の切替要求を受信したか否かを判定する（ステップＳ２４）。制御部１４０は、切替要求を受信していない場合（ステップＳ２４／ＮＯ）、ステップＳ２６の判定に移行する。また、制御部１４０は、切替要求を受信した場合（ステップＳ２４／ＹＥＳ）、接続ポートの切り替えを行う（ステップＳ２５）。すなわち、制御部１４０は、接続切替部１３０を制御して、受信した切替要求に含まれる識別情報が示す接続ポートをＰＪ側ＩＦ部１２０に接続する。
【００８２】
次に、制御部１４０は、プロジェクター２００との接続が切断されたか否かを判定する（ステップＳ２６）。制御部１４０は、例えば、プロジェクター２００から５Ｖ電源の供給がなくなった場合に、接続が切断されたと判定する。制御部１４０は、プロジェクター２００との接続が切断されたと判定した場合（ステップＳ２６／ＹＥＳ）、この処理フローを終了させる。また、制御部１４０は、プロジェクター２００との接続が切断されていないと判定した場合（ステップＳ２６／ＮＯ）、前回、プロジェクター２００にポート情報を送信してから一定時間が経過したか否かを判定する（ステップＳ２７）。制御部１４０は、前回のポート情報の送信から一定時間を経過したと判定した場合（ステップＳ２７／ＹＥＳ）、新たなポート情報をプロジェクター２００に送信する（ステップＳ２８）。また、制御部１４０は、前回のポート情報の送信から一定時間を経過していないと判定した場合（ステップＳ２７／ＮＯ）、ステップＳ２２の判定に戻る。
【００８３】
図１１は、切替装置１００の他の構成を示す図である。
図１１に示す切替装置１００は、無線通信部１６０を備える。無線通信部１６０は、プロジェクター２００に接続される「第４インターフェース」に相当し、プロジェクター２００との間で制御情報を送受信する。切替装置１００は、プロジェクター２００から送信される制御情報を無線通信部１６０により受信する。制御部１４０は、無線通信部１６０が受信した制御情報から切替要求を取り出し、取り出した切替要求に従って、第１〜第３ソース側ＩＦ部１１１〜１１３のいずれかをＰＪ側ＩＦ部１２０に接続する。
また、プロジェクター２００と切替装置１００との間での制御情報の送受信は、無線である必要はなく、例えば、ＵＳＢやイーサネット等のデータ通信用のケーブルでプロジェクター２００と切替装置１００と接続し、制御情報を送受信する構成であってもよい。
【００８４】
また、上述した実施形態では、第１〜第３ソース側ＩＦ部１１１〜１１３のインターフェース規格がすべてＨＤＭＩであったため、第１〜第３ソース側ＩＦ部１１１〜１１３が切替装置１００の接続切り替えの対象となった。例えば、第１ソース側ＩＦ部１１１の接続ポートのインターフェース規格がＤ−ｓｕｂであり、ＰＪ側ＩＦ部１２０が、ＨＤＭＩインターフェースの他に、Ｄ−ｓｕｂに対応した接続ポートを備える構成であると仮定する。この場合、プロジェクター２００の入力ＩＦ部２１０と、ＰＪ側ＩＦ部１２０とをＤ−ｓｕｂにより１対１で接続する必要がある。さらに、ＰＪ側ＩＦ部１２０のＤ−ｓｕｂに対応したインターフェースと、第１ソース側ＩＦ部１１１のＤ−ｓｕｂに対応したインターフェースとを直接接続する必要がある。このため、第１〜第３ソース側ＩＦ部１１１〜１１３のいずれかの接続ポートに、Ｄ−ｓｕｂ等の１対１接続の接続ポートがある場合、この接続ポートは、切替装置１００の接続切り替えの対象とはならない。
【００８５】
以上説明したように本実施形態は、切替装置１００であって、第１インターフェース又は第２インターフェースとしての第１〜第３ソース側ＩＦ部１１１〜１１３と、プロジェクター２００に接続される第３インターフェースとしてのＰＪ側ＩＦ部１２０と、第１制御部としての制御部１４０とを備える。
制御部１４０は、動作モードが第１動作モードである場合に、第１〜第３ソース側ＩＦ部１１１〜１１３のいずれかに入力された画像データをＰＪ側ＩＦ部１２０によりプロジェクター２００に送信させる。また、制御部１４０は、動作モードが第２動作モードである場合、第１動作モードのときに接続されていた第１〜第３ソース側ＩＦ部１１１〜１１３以外の第１〜第３ソース側ＩＦ部１１１〜１１３のいずれかに入力された画像データをＰＪ側ＩＦ部１２０によりプロジェクター２００に送信させる。また、制御部１４０は、プロジェクター２００から変更要求を受信すると、受信した変更要求に従って動作モードを変更する。
従って、切替装置１００が備えるインターフェースの切り替えを、プロジェクター２００により行うことができる。
【００８６】
また、制御部１４０は、プロジェクター２００から送信される変更要求をＰＪ側ＩＦ部１２０により受信する。
従って、画像データの送信に使用されるＰＪ側ＩＦ部１２０により、動作モードの変更要求を受信することができる。
【００８７】
また、切替装置１００は、プロジェクター２００に接続される第４インターフェースとしての無線通信部１６０を備える。制御部１４０は、無線通信部１６０がプロジェクター２００から受信した変更要求に従って動作モードを変更する。
従って、無線通信部１６０により制御情報を送受信することができる。
【００８８】
制御部１４０は、プロジェクター２００が接続されると、ソース側ＩＦ部１１０のポート情報をプロジェクター２００に送信する。
プロジェクター２００は、記憶部２６０と、第２制御部としての制御部２７０と、操作部としてのリモコン５とを備える。
記憶部２６０は、プロジェクター２００が備える外部の装置との接続インターフェースの情報を登録したソース管理テーブル２６５を記憶する。
制御部２７０は、切替装置１００から受信したソース側ＩＦ部１１０のポート情報をソース管理テーブル２６５に登録する。
制御部２７０は、ソース側ＩＦ部１１０が備える第１〜第３ソース側ＩＦ部１１１〜１１３のいずれかが選択されると、選択された第１〜第３ソース側ＩＦ部１１１〜１１３のいずれかへの変更要求を切替装置１００に送信する。
従って、ソース側ＩＦ部１１０の切り替えを、プロジェクター２００により行うことができる。
【００８９】
また、制御部２７０は、切替装置１００が接続された第１〜第４入力ＩＦ部２１１〜２１４のいずれかの入力ソース情報をソース管理テーブル２６５から削除する。そして、制御部２７０は、第１〜第３ソース側ＩＦ部１１１〜１１３の入力ソース情報をソース管理テーブル２６５に登録する。
従って、切替装置１００が接続された第１〜第４入力ＩＦ部２１１〜２１４のいずれかの入力ソース情報に代えて、第１〜第３ソース側ＩＦ部１１１〜１１３の入力ソース情報を登録することができる。
【００９０】
また、制御部２７０は、入力ソース情報として、接続インターフェースを介して入力される画像データに設定された画像調整値をソース管理テーブル２６５に登録する。
第１〜第３ソース側ＩＦ部１１１〜１１３のいずれかと同一インターフェース規格の入力ソース情報が登録されている場合に、第１〜第３ソース側ＩＦ部１１１〜１１３の入力ソース情報として、同一インターフェース規格の入力ソース規格の画像調整値を登録する。
第１〜第３ソース側ＩＦ部１１１〜１１３の入力ソース情報をソース管理テーブル２６５に登録する場合に、画像調整値を再設定する手間を省略することができる。
【００９１】
また、プロジェクター２００は、投射部２２０を備える。
制御部２７０は、プロジェクター２００の入力ＩＦ部２１０の入力ソース情報と、ソース側ＩＦ部１１０の入力ソース情報とが表示されたソース選択画面２９０を投射部２２０により投射させる。
制御部２７０は、リモコン５によりソース側ＩＦ部１１０のインターフェース部が選択されると、選択されたインターフェース部への変更を要求する変更要求を切替装置１００に送信する。
従って、プロジェクター２００により表示されるソース選択画面２９０を参照しながら、像データが入力されるインターフェースを選択することができる。また、画像データが入力されるインターフェースとして切替装置１００のソース側ＩＦ部１１０が選択された場合に、切替装置１００のソース側ＩＦ部１１０の切り替えを、プロジェクター２００により行うことができる。
【００９２】
上述した実施形態は、本発明の好適な実施形態を示すものであり、本発明を限定するものではなく、本発明の要旨を逸脱しない範囲内において種々の変形実施が可能である。
例えば、接続切替部１３０にフォーマット変換部を設ける構成としてもよい。第１ソース側ＩＦ部１１１の接続ポートのインターフェース規格が、ＤＶＩやディスプレイポートであり、ＰＪ側ＩＦ部１２０のインターフェース規格がＨＤＭＩであると仮定する。この場合、接続切替部１３０は、ディスプレイポートやＤＶＩのインターフェースにより入力された信号を、ＨＤＭＩの規格に対応した信号に変換し、変換した信号をプロジェクター２００に出力する。
【００９３】
また、プロジェクター２００は、透過型液晶パネルを用いた液晶プロジェクターであってもよいし、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【００９４】
また、図２に示す切替装置１００、及び図３に示すプロジェクター２００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００９５】
５…リモコン、５０…指示体、１００…切替装置、１１０…ソース側インターフェース部、１１１…第１ソース側ＩＦ部、１１２…第２ソース側ＩＦ部、１１３…第３ソース側ＩＦ部、１１４〜１１６…接続ポート、１２０…ＰＪ側インターフェース部、１２５…接続ポート、１３０…接続切替部、１４０…制御部、１５０…記憶部、１６０…無線通信部、２００…プロジェクター、２１０…入力ＩＦ部、２１１…第１入力ＩＦ部、２１２…第２入力ＩＦ部、２１３…第３入力ＩＦ部、２１４…第４入力ＩＦ部、２２０…投射部、２３０…リモコン受光部、２３３…指示体検出部、２３５…無線通信部、２５０…画像処理部、２５５…フレームメモリー、２６０…記憶部、２６５…ソース管理テーブル、２６７…領域、２７０…制御部、２７１…投射制御部、２７２…表示制御部、２７３…切替制御部、２８０…バス、２９０…ソース選択画面、２９５…領域、３００、３００Ａ〜３００Ｃ…画像供給装置。
【図１】
2019062497.tif 000003
【図２】
2019062497.tif 000004
【図３】
2019062497.tif 000005
【図４】
2019062497.tif 000006
【図５】
2019062497.tif 000007
【図６】
2019062497.tif 000008
【図７】
2019062497.tif 000009
【図８】
2019062497.tif 000010
【図９】
2019062497.tif 000011
【図１０】
2019062497.tif 000012
【図１１】
2019062497.tif 000013